(57)【特許請求の範囲】
【請求項１】
バックライトの消費電力と、音声出力の消費電力とを所定の条件で連動させて制御を行う出力調整部を備え、
前記出力調整部は、前記バックライトの消費電力と前記音声出力の消費電力との前記所定の条件における合計が一定となるように制御することを特徴とする液晶表示装置。
【請求項２】
前記所定の条件における合計は、前記バックライトの消費電力の上限と前記音声出力の上限との合計であることを特徴とする請求項１に記載の液晶表示装置。
【請求項３】
バックライトの消費電力と、音声出力の消費電力とを所定の条件で連動させて制御を行う出力調整部を備え、
前記出力調整部は、前記音声出力のうち低音域の出力の比重が大きくなるように調整することを特徴とする液晶表示装置。
【請求項４】
バックライトの消費電力と、音声出力の消費電力とを所定の条件で連動させて制御を行う出力調整部を備え、
前記出力調整部は、映像処理を停止したときに、映像停止に関連する構成の消費電力を前記音声出力の消費電力に振り分けることを特徴とする液晶表示装置。
【請求項５】
前記出力調整部は、明るさセンサによるバックライト制御と連動させて前記バックライトの消費電力と前記音声出力の消費電力を調整することを特徴とする請求項１から４までのいずれかに記載の液晶表示装置。
【請求項６】
バックライトの消費電力の上限と音声出力の消費電力の上限の和が一定であるように制御することを特徴とする液晶表示装置の設定方法。
【発明の詳細な説明】
【技術分野】
【０００１】
本発明は、液晶表示装置およびその設定方法に係り、特に音声出力機能を有するとともにバックライトの輝度制御を行う液晶表示装置およびその設定方法に関する。
【背景技術】
【０００２】
現状の液晶テレビでは、バックライトの輝度とスピーカの音声出力の調整は、各々独立して制御を行うシステムとなっている。消費電力低減の観点からバックライトの消費電力と音声出力の両方を適切に制御する必要があり、各種の技術が提案されている。
【０００３】
例えば、映像関係の省電力のための操作と音声関係の省電力のための操作に関する操作性を改善し、適切な消費電力になるように設定する際の操作性を改善する技術がある（例えば、特許文献１参照）。この技術は、周囲の明るさと静けさの環境条件に応じて、音量レベルとバックライトの輝度レベルを同時に連動制御し、テレビの消費電力を適切に自動設定するもの。
【先行技術文献】
【特許文献】
【０００４】
【特許文献１】特開２００７−１３４９３０号公報
【発明の概要】
【発明が解決しようとする課題】
【０００５】
ところで、特定の仕向け機種、例えば、アジア向け機種では、日本国内や欧米等向けの機種に比べ、音声出力の機能が重視されることが知られている。このような地域向けのテレビでは、大音量で音声出力可能な機能が搭載されている。そのような中で、消費電力の低減に対する要望も強くなってきており、その要望を実現する技術が求められている。
【０００６】
特許文献１に開示の技術では、輝度／音量レベルの連動制御は可能ではあるが、周囲の明るさと静けさに応じて、予め用意されている所定値に、輝度と音声を同時に切り替えてはいるものの、上述のような音声を重視する市場の要請には十分応えることが出来ておらず別の技術が求められていた。
【０００７】
本発明はこのような状況に鑑みなされたものであって、上記課題を解決する技術を提供することを目的とする。
【課題を解決するための手段】
【０００８】
本発明の液晶表示装置は、バックライトの消費電力と、音声出力の消費電力とを所定の条件で連動させて制御を行う出力調整部を備え、前記出力調整部は、前記バックライトの消費電力と前記音声出力の消費電力との前記所定の条件における合計が一定となるように制御する。
また、前記所定の条件における合計は、前記バックライトの消費電力の上限と前記音声出力の上限との合計であってもよい。
本発明の液晶表示装置は、バックライトの消費電力と、音声出力の消費電力とを所定の条件で連動させて制御を行う出力調整部を備え、前記出力調整部は、前記音声出力のうち低音域の出力の比重が大きくなるように調整する。
本発明の液晶表示装置は、バックライトの消費電力と、音声出力の消費電力とを所定の条件で連動させて制御を行う出力調整部を備え、前記出力調整部は、映像処理を停止したときに、映像停止に関連する構成の消費電力を前記音声出力の消費電力に振り分ける。
また、前記出力調整部は、明るさセンサによるバックライト制御と連動させて前記バックライトの消費電力と前記音声出力の消費電力を調整してもよい。
本発明の液晶表示装置の設定方法は、バックライトの消費電力の上限と音声出力の消費電力の上限の和が一定であるように制御する。
【発明の効果】
【０００９】
本発明によれば、「バックライト電力」と「スピーカ電力」の総消費電力をシェアし、音声出力の上限（ボリューム上限）とバックライト出力の上限とを連動制御することで、音声出力増大処理をした場合でも消費電力を増大させない技術を提供できる。
【図面の簡単な説明】
【００１０】
【図１】第１の実施形態に係る、液晶テレビのスピーカ電力とバックライト電力の総消費電力の連携制御の例を示す図である。
【図２】第１の実施形態に係る、液晶テレビのスピーカ電力とバックライト電力の総消費電力の連携制御の別の例を示す図である。
【図３】第１の実施形態に係る、液晶テレビの機能ブロック図である。
【図４】第１の実施形態に係る、オーディオモード設定時のメニュー画面例を示す図である。
【図５】第１の実施形態に係る、液晶テレビの出力モードを選択する際にメニュー画面の例を示す図である。
【図６】第１の実施形態に係る、音声出力とバックライト出力の上限を連動制御に関して設定保持部に保持されている参照用のテーブルを示す図である。
【図７】第１の実施形態に係る、オーディオモード切替時の音量設定方法及び調光設定方法を示す図である。
【図８】第２の実施形態に係る、オーディオモードが「ＯＮ（Ｅｃｏ）」時のバックライト出力上限が変動するタイミングを示す図である。
【図９】第３の実施形態に係る、液晶テレビの消費電力の各モードの内訳例を示す図である。
【図１０】第３の実施形態に係る、表示制御を示すフローチャートである。
【図１１】第３の実施形態に係る、音声出力とバックライト出力の上限を連動制御に関して設定保持部に保持されている参照用のテーブルを示す図である。
【図１２】第３の実施形態に係る、オーディオモード切替時の音量設定方法及び調光設定方法を示す図である。
【図１３】第４の実施形態に係る、「Ａｕｄｉｏ  ＷＦ  ｂｏｏｓｔ  ｍｏｄｅ」と各スピーカ出力の関係を示すテーブルである。
【図１４】第４の実施形態に係る、モード切替方法に関する設定画面の図である。
【図１５】第４の実施形態に係る、消費電力が最大８０Ｗの液晶テレビにおける、各モードと消費電力の内訳を示すグラフである。
【図１６】第５の実施形態に係る、液晶テレビの消費電力の各モードの内訳例を示す図である。
【図１７】第６の実施形態に係る、明るさセンサによる制御がオフのときとオンのときの電力内訳を示す。
【発明を実施するための形態】
【００１１】
次に、本発明を実施するための形態（以下、単に「実施形態」という）を、図面を参照して具体的に説明する。
【００１２】
＜第１の実施形態＞
図１に本実施形態の液晶テレビの消費電力の内訳例を示し、本実施形態の概要を説明する。一般に、液晶テレビのバックライト調光とスピーカ音声出力は、それぞれ独立した制御システムとなっている。本実施形態の液晶テレビは、「バックライト電力」と「スピーカ電力」の総消費電力をシェアし、音声出力の上限（ボリューム上限）とバックライト出力の上限とを連動制御する。つまりバックライトの調光の絞りに伴い、余力となった消費電力をスピーカ音声出力に充当することで、スピーカ出力の上限を従来以上に増大させる。このとき、バックライトの調光を絞って余力となった電力を充てるため、この処理によって一般的な液晶テレビと比較して消費電力が増大することはない。
【００１３】
例えば、図示の例では、総消費電力量（最大値）が６０Ｗで、基本設定において内訳がスピーカ電力２０Ｗ，バックライト電力３０Ｗ、その他の回路等で１０Ｗとなっている。そして、バックライト電力の上限を１０Ｗ減少させて２０Ｗとしたときに、スピーカ電力の上限を１０Ｗ増加させ３０Ｗとする。さらに、バックライト電力の上限を１０Ｗ減少させて１０Ｗとしたときに、スピーカ電力の上限をさらに１０Ｗ増加させ４０Ｗとする。このとき、スピーカ電力とバックライト電力の合計は基本設定と同一の最大５０Ｗとなっている。
【００１４】
また別の処理として、図２に示すように、まず、音声出力増大処理を行うオーディオモードをオンにしたときに、バックライト電力は一定のままとし、スピーカ電力を１０Ｗ増加させる構成とする。さらに、オーディオエコモードをオンにしたときには、図１と同様に、スピーカ電力を１０Ｗ増加させつつバックライト電力を１０Ｗ減少させる処理がなされる。以下、具体的に説明する。
【００１５】
図３は本実施形態に係る液晶テレビ１０の概略構成を示す機能ブロック図であり、映像出力と音声出力とに着目して示している。図示のように、液晶テレビ１０は、主制御部１２と、デジタルチューナー２２と、コンテンツ処理部２４と、表示出力部２６と、表示部２８と、音声出力部５０と、電源部１４と、明るさセンサ４４を備える。さらに、この液晶テレビ１０は、操作取得部３４と、出力調整部４０と、設定保持部４２とを備える。
【００１６】
主制御部１２は、液晶テレビ１０の各構成要素を統括的に制御する。また、設定保持部４２は、液晶テレビ１０の各種設定を記録し保持する所定の記憶部として機能する。また、設定保持部４２は、本実施形態に特徴的な処理の一環として、音声出力の上限（スピーカ電力）とバックライト出力（バックライト電力）の上限を連動制御するさいの各上限値が記述された所定のテーブルを保持する。
【００１７】
このテーブルの詳細は図６等で後述するが、例えば、スピーカ電力テーブル１（図６（ａ））には、各オーディオモードにいてユーザーが設定可能な音声出力の上限値が記述されている。スピーカ電力テーブル２（図６（ｂ））には、音量（ボリューム）に対するスピーカ電力値が記述されている。バックライト電力テーブル（図６（ｃ））には調光に対するバックライト電力値が記述されている。
【００１８】
操作取得部３４は、リモコン１６によるユーザーの操作または直接操作によりユーザーの指示を取得する
【００１９】
電源部１４は、外部のＡＣ電源から交流電力を取得し直流電力に変換して、各構成要素へ電力を供給する。
【００２０】
デジタルチューナー２２は、アンテナに接続されデジタル放送波を受信及び復調し、コンテンツ処理部２４に出力する。
【００２１】
コンテンツ処理部２４は、デジタルチューナー２２や外部機器（図示せず）から所望のソースを選択してコンテンツ信号（映像信号や音声信号）取得し、表示出力部２６における駆動形式に応じた信号を表示出力部２６に出力するとともに、音声信号については音声出力部５０に出力する。また、コンテンツ処理部２４は、必要に応じて、例えば液晶テレビ１０の設定画面や、データ放送の内容を反映させたり選択しているチャンネルの番号や時刻を付与したＯＳＤ（On Screen Display）画面など最終的に表示すべき映像を構築する。
【００２２】
表示出力部２６は、表示部２８（表示パネル３０）の駆動回路等を備えており、映像信号を表示出力する。
【００２３】
表示部２８は、表示パネル３０及びバックライト３２を備える。バックライト３２の消費電力の上限、言い換えると輝度の上限は、上述のようにスピーカセット６０の出力と連動制御される。
【００２４】
音声出力部５０は、アンプを搭載しており、スピーカセット６０へ音声信号を出力する。音声出力部５０の出力の上限、つまり、アンプ出力上限値、さらに言い換えると音声出力のボリューム値の上限値は、バックライト３２の消費電力と連動制御される。
【００２５】
出力調整部４０は、バックライト３２の輝度の上限との出力上限を調整する。より具体的には、出力調整部４０は、「バックライト電力」と「スピーカ電力」の総消費電力をシェアし、音声出力の上限とバックライト出力の上限を連動制御する。
【００２６】
明るさセンサ４４は、液晶テレビ１０の周囲の明るさを検知する。表示出力部２６は、明るさセンサ４４の検知結果をもとに、画面（表示部２８）の明るさ、特にバックライト３２の出力を調整する。
【００２７】
以上の構成による「バックライト電力」と「スピーカ電力」の連動制御の具体的な処理を説明する。
【００２８】
ここでは、図２に示した総消費電力の例をもとに説明する。オーディオモードとして、基本設定のままで音声出力増大を行わない「ＯＦＦ」と、音声出力増大を行う「ＯＮ」と、音声出力増大を行いつつバックライト出力を減少させる「ＯＮ（ＥＣＯ）」の三種類が設定可能になっている。
【００２９】
図４に示すように、設定時には液晶テレビ１０のメニューに上に、図４（ａ）の音声設定画面をリモコン１６等で選択が可能にＯＳＤ表示し、図４（ｂ）に示すオーディオモード設定画面をＯＳＤ表示させ、上述の三種類のモードから所望のモードが選択される。
【００３０】
図５は、液晶テレビ１０の出力モードを選択する際のメニュー画面であって、明るさを重視する「Ｄｙｎａｍｉｃモード」や初期設定の「Ｓｔａｎｄａｒｄモード」等とともに、上述の音声出力増大処理を可能とする「Ａｕｄｉｏモード」（オーディオモード）が選択可能となっている。例えば、「Ａｕｄｉｏモード」が選択されている場合には、図３の「ＯＮ（ＥＣＯ）」が初期設定となっており、リモコン１６の所定のボタンを押下することで、図３の三種類のモードがトグルで変更可能となっている。
【００３１】
「ＯＦＦ」が選択されたときに音声出力に上限が設けられる。「ＯＮ」または「ＯＮ（ＥＣＯ）」が選択されたときには音声出力の上限が一段解除され“大”音声出力が可能となる。さらに「ＯＮ（ＥＣＯ）」が選択されたときには、「スピーカ電力」と「バックライト電力」の最大値の合計が一定消費電力（=基準電力）となるように、音声出力の上限の増加分に連動して、バックライト出力の上限が決定される。音声出力とバックライト出力の上限を連動制御することで、消費電力を増大させること無く、音声出力を増すことが出来る。なお、ここでは「音量を上げる処理と輝度を下げる処理を連動させた制御」について例示するが、「音量下げる処理と輝度を上げる処理を連動させる制御」がなされてもよい。
【００３２】
図６は、音声出力とバックライト出力の上限を連動制御に関して設定保持部４２に保持されている参照用のテーブルを示している。図６（ａ）のスピーカ電力テーブル１は、各オーディオモードにいてユーザーが設定可能な音声出力の上限値を記述している。オーディオモードが「ＯＦＦ」のときスピーカ電力（最大値）は２０Ｗであり、「ＯＮ」のときは３０Ｗ、「ＯＮ（Ｅｃｏ）」のときは３０Ｗとなっている。
【００３３】
図６（ｂ）のスピーカ電力テーブル２は、音量（ボリューム）に対するスピーカ電力値を記述している。例えば、音量１００のときスピーカ電力は２０Ｗであり、音量１５０のときスピーカ電力は３０Ｗである。したがって、オーディオモードが「ＯＦＦ」のときのスピーカ電力上限は２０Ｗであるので、ボリュームの上限は１００となる。また、オーディオモードが「ＯＮ」または「ＯＮ（Ｅｃｏ）」のとき、スピーカ電力上限は３０Ｗであるので、ボリュームの上限は１５０となる。つまり、ボリュームの調整領域が０〜１５０となる。
【００３４】
図６（ｃ）のバックライト電力テーブルは、調光（ＤＵＴＹ比）に対するバックライト電力値を記述している。例えば、調光１００のときバックライト電力が３０Ｗであり、調光５０のときバックライト電力２０Ｗである。したがって、オーディオモードが「ＯＦＦ」のときのスピーカ電力上限は２０Ｗであって、バックライト電力の上限は総消費電力５０Ｗからスピーカ電力上限２０Ｗを差し引いた３０Ｗである。つまり、調光範囲（ＤＵＴＹ比）は０−１００となる。また、オーディオモードが「ＯＮ（Ｅｃｏ）」のとき、スピーカ電力上限は３０Ｗであるので、バックライト電力の上限は総消費電力５０Ｗからスピーカ電力上限３０Ｗを差し引いた２０Ｗである。つまり、調光範囲（ＤＵＴＹ比）は０−５０となる。なお、ここでは、調光として、例えばＤＵＴＹ比が適用されるＰＷＭ調光を想定するが、他に、アナログ調光（単純に電流量を変化させる）や位相調光についても同様に本実施形態に適用することができる。
【００３５】
図７にオーディオモード切替時の音量設定方法及び調光設定方法を示す。図中の左側が音量設定方法を示し、右側が調光設定方法を示す。図７の左側に示すように、出力調整部４０は、音声出力（上限）の増減率を算出する。例えば、音声出力上限が２０Ｗから３０Ｗに変化した場合、増減率は３０／２０＝１．５となる。出力調整部４０は、図６（ｂ）のスピーカ電力テーブル２を参照して、その増減率に比例した音量に自動設定する。例えば基本設定「ＯＦＦ」の音量８０であれば、「ＯＮ」または「ＯＮ（ＥＣＯ）」では音量１２０となる。
【００３６】
おな、「ＯＮ」または「ＯＮ（ＥＣＯ）」が選択されたときに、自動的に増減倍率が反映された音声出力がなされてもよいし、ユーザーが調整可能な音量の上限のみが変更されて変更時点の音声出力自体には変更されなくともよい。
【００３７】
つぎに主に図７の右側を参照して調光設定方法を説明する。「ＯＦＦ」から「ＯＮ」に変更した場合は、調光に変更はない。「ＯＦＦ」または「ＯＮ」から「ＯＮ（ＥＣＯ）」に変更し、音声出力上限が２０Ｗから３０Ｗに変化した場合、増減率は３０／２０＝１．５となる。そして出力調整部４０は、スピーカ電力テーブル２を参照して、その増減率に反比例したバックライト電力に対応する調光に自動設定する。例えば基本設定「ＯＦＦ」の調光７５（２５Ｗ）であれば、「ＯＮ（ＥＣＯ）」では２５／１．５＝１６．６Ｗで、調光３３（１６．６Ｗ）になる。
【００３８】
＜第２の実施形態＞
本実施形態は、第１の実施形態の変形例であって、バックライト出力上限が変動するタイミングが異なっている。言い換えると、ユーザーが調整可能な音量に、予め閾値を設定し、音量が閾値以上に設定された際に、連動制御される仕組みをもつ。
【００３９】
具体的には、バックライト出力上限が変動するタイミングが第１の実施形態ではオーディオモード切替時であった。本実施形態では、ユーザーの音量設定時としている。「ＯＮ（ＥＣＯ）」切替時は、バックライト出力の上限は「ＯＦＦ」または「ＯＮ」時と同設定として、音量が閾値（ＯＦＦ時の音声出力の上限）を超えた場合に変動させる。
【００４０】
図８を参照してオーディオモードが「ＯＮ（Ｅｃｏ）」時のバックライト出力上限が変動するタイミングを説明する。「ＯＦＦ」時の音声出力上限（音量）はＶｏｌ＝１００とする。
【００４１】
音量Ｖｏｌが１００以下の場合、バックライト出力上限はＯＦＦ時と同設定の「３０Ｗ」である。そして、音量Ｖｏｌが１００を超えた場合、「スピーカ電力」と「バックライト電力」の最大値の合計が一定消費電力（=基準電力）となるように、バックライト出力の上限が設定される。算出手順は第１の実施形態と同様である。また、本実施形態においても、「音量を上げる処理と輝度を下げる処理を連動させた制御」について例示するが、「音量下げる処理と輝度を上げる処理を連動させる制御」がなされてもよい。
【００４２】
＜第３の実施形態＞
本実施形態は第１の実施形態の変形例である。第１の実施形態では、連動制御される場合の音声出力の上限はＯＦＦ／ＯＮ（Ｅｃｏ）の２状態のみであった。本実施形態では、ユーザーが設定可能な音声出力の上限が異なる複数のモードを設けた場合を説明する。
【００４３】
本実施形態の処理は、「ＯＦＦ」時（通常モード）を基準とし、音声出力の上限の増加分を、バックライト出力に制限をかけて補う。このときバックライト出力の上限は、一定の消費電力を音声出力とバックライト制御でシェアする形で、音声出力の上限に連動して決定される。
【００４４】
各モードは次の通りで、例えば６種類設けられている。
（１）ＯＦＦ：                 通常モード
（２）ＯＮ（Ｍｏｄｅ１）：      音声出力増大モード１
（３）ＯＮ（Ｍｏｄｅ２）：      音声出力増大モード２
（４）ＯＮ（Ｍｏｄｅ３）：      音声出力増大モード３
（５）ＯＮ（Ｍｏｄｅ４）：      音声出力増大モード４
（６）ＯＮ（ＡｕｄｉｏＯｎｌｙ）：ＡｕｄｉｏＯｎｌｙモード
なお、ＡｕｄｉｏＯｎｌｙモードは、映像出力を行わないモードである。
ここで、音声出力の上限は次の関係となっている。
ＯＦＦ＜Ｍｏｄｅ１＜・・・＜Ｍｏｄｅ４≦ＡｕｄｉｏＯｎｌｙ
【００４５】
例えば、最大音声出力４０Ｗのスピーカシステムを採用している場合を想定する。図９は、液晶テレビ１０の消費電力の各モードの内訳例を示したものである。
【００４６】
液晶テレビ１０は、「ＯＦＦ」時は、スピーカ電力（音声出力）の上限を２０Ｗに設定し動作させ、「ＯＮ」時は各音声出力増大モードに応じて、上限を設定し動作させる。具体的には、「ＯＦＦ」時にスピーカ電力上限が２０Ｗでバックライト電力上限が３０Ｗである。「Ｍｏｄｅ１」ではスピーカ電力上限が２５Ｗでバックライト電力上限が２５Ｗである。「Ｍｏｄｅ４」ではスピーカ電力上限が４０Ｗでバックライト電力上限が１０Ｗである。「ＡｕｄｉｏＯｎｌｙ」ではスピーカ電力上限が４０Ｗでバックライト電力が０Ｗである。「Ｍｏｄｅ１」〜「Ｍｏｄｅ４」では、スピーカ電力上限とバックライト電力上限の和が５０Ｗに設定されている。
【００４７】
図１０は、液晶テレビ１０の出力モードを選択する際にメニュー画面例を示している。設定時には液晶テレビ１０のメニューに上に、図１０（ａ）の音声設定画面をリモコン１６等で選択が可能にＯＳＤ表示し、図１０（ｂ）に示すオーディオモード設定画面をＯＳＤ表示させ、上述の６種類のモードから所望のモードが選択される。
【００４８】
そして図１０（ｃ）に示すように、例えば、「Ａｕｄｉｏモード」が選択されている場合には、「ＯＮ（Ｍｏｄｅ１）」が初期設定となっており、リモコン１６の所定のボタンを押下することで、６種類のモードがトグルで変更可能となっている。
【００４９】
図１１は、音声出力とバックライト出力の上限を連動制御に関して設定保持部４２に保持されている参照用のテーブルを示している。また、図１２は、オーディオモード切替時の音量設定方法及び調光設定方法を示す。
【００５０】
図１１（ａ）のスピーカ電力テーブル１は、各オーディオモードにいてユーザーが設定可能な音声出力の上限値を記述している。例えば、オーディオモードが「ＯＦＦ」のときスピーカ電力（最大値）は２０Ｗであり、「ＯＮ（Ｍｏｄｅ１）」のときは２５Ｗ、「ＯＮ（Ｍｏｄｅ４）」のときは４０Ｗとなっている。
【００５１】
図１１（ｂ）のスピーカ電力テーブル２は、音量（ボリューム）に対するスピーカ電力値を記述している。例えば、音量１００のときスピーカ電力は２０Ｗであり、音量１５０のときスピーカ電力は３０Ｗであり、音量２００のときスピーカ電力は４０Ｗでる。したがって、オーディオモードが「ＯＦＦ」のときのスピーカ電力上限は２０Ｗであるので、ボリュームの上限は１００となる。また、オーディオモードが「ＯＮ（Ｍｏｄｅ１）」のとき、スピーカ電力上限は２５Ｗであるので、ボリュームの上限は１２５となる。つまり、ボリュームの調整領域が０〜１２５となる。オーディオモードが「ＯＮ（Ｍｏｄｅ４）」または「ＯＮ（ＡｕｄｉｏＯｎｌｙ）」のとき、スピーカ電力上限は４０Ｗであるので、ボリュームの上限は２００となる。つまり、ボリュームの調整領域が０〜２００となる。
【００５２】
図１１（ｃ）のバックライト電力テーブルは、調光（ＤＵＴＹ比）に対するバックライト電力値を記述している。例えば、調光１００のときバックライト電力が３０Ｗであり、調光５０のときバックライト電力２０Ｗである。したがって、オーディオモードが「ＯＦＦ」のときのスピーカ電力上限は２０Ｗであって、バックライト電力の上限は総消費電力５０Ｗからスピーカ電力上限２０Ｗを差し引いた３０Ｗである。つまり、調光範囲（ＤＵＴＹ比）は０−１００となる。また、オーディオモードが「ＯＮ（Ｍｏｄｅ２）」のとき、スピーカ電力上限は３０Ｗであるので、バックライト電力の上限は総消費電力５０Ｗからスピーカ電力上限３０Ｗを差し引いた２０Ｗである。つまり、調光範囲（ＤＵＴＹ比）は０−５０となる。
【００５３】
なお、オーディオモード切替時の音量設定方法及び輝度設定方法は第１の実施形態と同様である。また、本実施形態においても、「音量を上げる処理と輝度を下げる処理を連動させた制御」について例示するが、「音量下げる処理と輝度を上げる処理を連動させる制御」がなされてもよい。
【００５４】
＜第４の実施形態＞
第１〜第３の実施形態では、トータルの音声電力（スピーカ出力の最大電力）とバックライト電力の連動制御について説明した。本実施形態では、「Ａｕｄｉｏ  ＷＦ  ｂｏｏｓｔ  ｍｏｄｅ」について説明する。
【００５５】
２．１ｃｈスピーカシステムのように複数のスピーカを有する場合に、上述の実施形態の「Ａｕｄｉｏモード」の他に、各スピーカの電力配分を変える「Ａｕｄｉｏ  ＷＦ  ｂｏｏｓｔ  ｍｏｄｅ」を設ける。ここでは、スピーカセット６０は、左スピーカ（以下、「Ｌｃｈ」）、右スピーカ（以下、「Ｒｃｈ」）及び低音域用のウーハー（以下、「ＷＦ」）の３つのスピーカで構成されている。当該モードが選択された場合、音声電力とバックライト電力とが連動制御される。具体的には、スピーカセット６０に割り振る電力（最大値）を、ユーザーの好みによりウーハー重視に段階的に可変する。
【００５６】
このようにスピーカセット６０として複数種類のスピーカがある場合にユーザーが設定可能な「Ａｕｄｉｏ  ＷＦ  ｂｏｏｓｔ  ｍｏｄｅ」を複数種類設ける。
【００５７】
Ｂｏｏｓｔ  ＯＦＦ時（通常モード）を基準とし、「Ａｕｄｉｏ  ＷＦ  ｂｏｏｓｔ  ｍｏｄｅ」によってスピーカセット６０に配分する電力が変更される。このとき音声出力の上限は、第３の実施形態と同様に、一定の消費電力を音声出力とバックライト制御でシェアすることになる。
【００５８】
図１３は、「Ａｕｄｉｏ  ＷＦ  ｂｏｏｓｔ  ｍｏｄｅ」と各スピーカ出力の関係を示すテーブルである。図１３（ａ）は各モードに応じて音声出力に割り当てられるスピーカ出力比（消費電力比）を示し、図１３（ｂ）は実際のスピーカ電力（消費電力）の例を示す。
【００５９】
ここでは、次の３種類のモードが選択可能になっている。
（１）Ｂｏｏｓｔ  ＯＦＦ：  通常モード
（２）Ｂｏｏｓｔ１：  低音域重視モード
（３）Ｂｏｏｓｔ２：  低音域超重視モード
【００６０】
例えば、液晶テレビ１０の消費電力が最大８０Ｗ、音声出力が最大６０Ｗのスピーカシステムを採用している構成を想定する。ＷＦ、Ｌｃｈ、Ｒｃｈの電力配分を変え、低音域重視モードを設ける。この場合の各スピーカの出力（最大値）は、図１３（ａ）の比が適用されると、次の様になる、
【００６１】
すなわち、「Ｂｏｏｓｔ  ＯＦＦ」の場合、ＷＦが３０Ｗ、Ｌｃｈが１５Ｗ、Ｒｃｈが１５Ｗである。「Ｂｏｏｓｔ１」の場合、ＷＦが４０Ｗ、Ｌｃｈが１０Ｗ、Ｒｃｈが１０Ｗである。「Ｂｏｏｓｔ２」の場合、ＷＦが５０Ｗ、Ｌｃｈが５Ｗ、Ｒｃｈが５Ｗである。なお、「Ｂｏｏｓｔ  ＯＦＦ」は、上述の実施形態の「Ａｕｄｉｏモード」がオンの状態に相当する。
【００６２】
つづいて、図１４にモード切替方法に関する設定画面を示す。まず、ユーザは図１４（ａ）に示すように、ＯＳＤ画面の音声設定メニューにて、「Ａｕｄｉｏ  ＷＦ  ｂｏｏｓｔ  ｍｏｄｅ」を選択する。ここでは選択されている「Ａｕｄｉｏ  ＷＦ  ｂｏｏｓｔ  ｍｏｄｅ」の項目が白黒反転している。つづいて、図１４（ｂ）に示す様に、リモコン１６を用いてトグル変更して所望のモードを選択する。「ＯＦＦ」→「Ｂｏｏｓｔ１」→「Ｂｏｏｓｔ２」の順番でモードが変更される。ここでは、選択されている「Ｂｏｏｓｔ１」の項目が白黒反転している。
【００６３】
つぎに、実際の動作手順について説明する。液晶テレビ１０の出力調整部４０は、「Ａｕｄｉｏ  ＷＦ  ｂｏｏｓｔ  ｍｏｄｅ」におけるＷＦ、Ｌｃｈ、Ｒｃｈの各スピーカ出力比を図１３（ａ）のように設定した電力テーブルを備える。なお、この比はユーザが調整可能に構成されてもよい。出力調整部４０は、図１４に示した手順でＢｏｏｓｔモードが切り替えられたときに、選択されたモードに適した電力比でスピーカセット６０を構成するスピーカ（ＷＦ、Ｌｃｈ、Ｒｃｈ）の出力を決定する。
【００６４】
図１５は、消費電力が最大８０Ｗの液晶テレビ１０における、各モードと消費電力の振り分けの詳細を纏めて示すグラフである。
【００６５】
「Ａｕｄｉｏモード」がオフである標準的な設定では、スピーカセット６０の消費電力が２０Ｗ（ＷＦが１０Ｗ、Ｌｃｈ／Ｒｃｈが各５Ｗ）で、バックライト３２の消費電力が５０Ｗ、映像回路等の「その他」の消費電力が１０Ｗとなっている。
【００６６】
「Ａｕｄｉｏモード」がオンの設定では、スピーカセット６０の消費電力が６０Ｗ（ＷＦが３０Ｗ、Ｌｃｈ／Ｒｃｈが各１５Ｗ）で、バックライト３２の消費電力が１０Ｗ、映像回路等の「その他」の消費電力が１０Ｗとなっている。
【００６７】
「Ｂｏｏｓｔ１」がオンの設定では、スピーカセット６０の消費電力は６０Ｗで「Ａｕｄｉｏモード」がオンと同じだが、その内訳がＷＦが４０Ｗ、Ｌｃｈ／Ｒｃｈが各１０Ｗになっている。つまり、ＷＦが１０Ｗ大きくなり、Ｌｃｈ／Ｒｃｈが各５Ｗ小さくなっている。
【００６８】
「Ｂｏｏｓｔ２」がオンの設定では、「Ｂｏｏｓｔ１」がオンの設定よりさらにＷＦの出力が大きくなっている。すなわち、ＷＦが５０Ｗ、Ｌｃｈ／Ｒｃｈが各５Ｗになっている。
【００６９】
このように、バックライト３２の消費電力を下げたときの余裕分をスピーカセット６０の特にＷＦに振り分けることが出来、ユーザの嗜好に合わせることができる。
【００７０】
＜第５の実施形態＞
第１〜第３の実施形態では、音声電力とバックライト電力の連動制御についての仕組みであり、その他電力については一定の１０Ｗであった。本実施形態では、これら以外の「その他」の電力（映像処理回路等）についても連動制御する。
【００７１】
図１６は、液晶テレビ１０の消費電力の各モードの内訳例を示す図である。例えば、図９で示した消費電力の各モードの内訳例では、「Ａｕｄｉｏ  Ｏｎｌｙ  モード」において、バックライト電力が０Ｗに設定され、スピーカ電力が４０Ｗ、その他の電力が１０Ｗに設定された。
【００７２】
本実施形態では、「Ａｕｄｉｏ  Ｏｎｌｙ  モード」を「Ａｕｄｉｏ  Ｏｎｌｙ１  モード」とし、さらに「Ａｕｄｉｏ  Ｏｎｌｙ２  モード」を設けた。「Ａｕｄｉｏ  Ｏｎｌｙ２  モード」では、映像をオフにすることによって映像処理回路が停止した場合に、その映像処理回路に使用していた電力（「その他」の項目）を音声電力に回す。ここでは、「その他」の消費電力が５Ｗ下がった分だけ、スピーカ電力に５Ｗだけ振り分けられる。この構成は、液晶テレビ１０のスピーカセット６０と音声回路を、スマートフォンやモバイルオーディオ等の外部機器の音声出力装置として機能させる場合に好適である。特に、それら外部機器と液晶テレビ１０がBluetooth（登録商標）等のワイヤレス通信経由で接続し表示部２８をオフする使用態様の時に好適である。
【００７３】
＜第６の実施形態＞
本実施形態では、液晶テレビ１０に取り付けられた明るさセンサ４４（ＯＰＣセンサ）に連動してバックライト電力が変化した場合に、音声出力の最大値を変化させる。このとき、「スピーカ電力」と「バックライト電力」の最大値の合計が一定消費電力（=基準電力）となるように連動制御する。
【００７４】
図１７に明るさセンサ４４による制御がオフのときとオンのときの電力内訳を示す。明るさセンサ４４による制御がオフのとき、スピーカ電力が２０Ｗであり、バックライト電力が３０Ｗである。明るさセンサ４４による制御がオンで、バックライト電力が１０Ｗ下がり２０Ｗとなったときに、スピーカ電力が１０Ｗ上がり３０Ｗとなる。
【００７５】
例えば、暗い部屋で映画を見る時に大音量で聴きたい場合などに、音声ボリュームのインジケーター等でユーザーに通知する処理を行うことができる。このとき、スピーカ電力を変更するか否かをユーザに選択可能に問い合わせてもよい。
【００７６】
以上、本発明を実施形態をもとに説明した。現状の一般的な液晶テレビでは、スピーカ出力に割当てられている電力は所定の値が上限として設定されており、音声（スピーカ）出力を劇的に増やすことはテレビの消費電力の制約や省エネ性能の観点からも現実的でなかった。つまり、現状システム構成で音声出力を増大させるためには、バックライトと音声出力の最大負荷を想定した回路を構成する必要があり、しかも消費電力も当然増大してしまうという課題があった。しかし、上述の各実施形態によると、バックライト輝度とスピーカ出力の最大負荷を想定する回路構成とせず、消費電力を増大させずに、スピーカを現状の上限以上に出力させることができる。
【００７７】
なお、上述の各実施形態は例示であり、それらの各構成要素の組み合わせ等にいろいろな変形例が可能なこと、またそうした変形例も本発明の範囲にあることは当業者に理解されるところである。
【符号の説明】
【００７８】
１０  液晶テレビ
１２  主制御部
２４  コンテンツ処理部
２６  表示出力部
２８  表示部
３０  表示パネル
３２  バックライト
４０  出力調整部
４２  設定保持部
４４  明るさセンサ
５０  音声出力部
６０  スピーカセット
【図１】
0005622952.tif 000002
【図２】
0005622952.tif 000003
【図３】
0005622952.tif 000004
【図４】
0005622952.tif 000005
【図５】
0005622952.tif 000006
【図６】
0005622952.tif 000007
【図７】
0005622952.tif 000008
【図８】
0005622952.tif 000009
【図９】
0005622952.tif 000010
【図１０】
0005622952.tif 000011
【図１１】
0005622952.tif 000012
【図１２】
0005622952.tif 000013
【図１３】
0005622952.tif 000014
【図１４】
0005622952.tif 000015
【図１５】
0005622952.tif 000016
【図１６】
0005622952.tif 000017
【図１７】
0005622952.tif 000018